(57)【要約】【課題】取り外しを容易としつつ、簡単に分離しない狭持具を提供すること。【解決手段】第一の板部と第一の磁石部とから構成される第一の留め具および第二の板部と第二の磁石部とから構成される第二の留め具によりなる狭持具であって、前記第一の磁石部と前記第二の磁石部とは、互いに異なる磁極を有するものであり、前記第一の板部と前記第二の板部とは、前記第一の磁石部と前記第二の磁石部とが磁力により接着した際に、前記第一の板部と前記第二の板部とが接触しない斜面であって、当該斜面が接触した際に、前記第一の磁石部と前記第二の磁石部との一部が磁力により接着する斜面を備える。【選択図】図２
0003168792.tif 000002
【実用新案登録請求の範囲】
【請求項１】
第一の板部と第一の磁石部とから構成される第一の留め具および第二の板部と第二の磁石部とから構成される第二の留め具によりなる狭持具であって、
前記第一の磁石部と前記第二の磁石部とは、互いに異なる磁極を有するものであり、
前記第一の板部と前記第二の板部とは、前記第一の磁石部と前記第二の磁石部とが磁力により接着した際に、前記第一の板部と前記第二の板部とが接触しない斜面であって、当該斜面が接触した際に、前記第一の磁石部と前記第二の磁石部との一部が磁力により接着する斜面を備えることを特徴とする狭持具。
【請求項２】
第一の板部と第一の磁石部とから構成される第一の留め具および第二の板部と第二の磁石部とから構成される第二の留め具によりなる狭持具であって、
前記第一の磁石部と前記第二の磁石部とは、それぞれ第一の面と第二の面を有し、互いに異なる磁極を有するものであり、
前記第一の板部と前記第二の板部とは、前記第一の磁石部の第一の面と前記第二の磁石部の第一の面とが磁力により接着した際に、前記第一の板部と前記第二の板部とが接触しない斜面であって、当該斜面が接触した際に、前記第一の磁石部の第二の面と前記第二の磁石部の第二の面とが磁力により接着する斜面を備えることを特徴とする狭持具。
【考案の詳細な説明】
【技術分野】
【０００１】
磁石の力を用いて紙などを挟む狭持具に関する技術である。
【背景技術】
【０００２】
磁石の力を用いて物を挟む技術の一つに、例えば、特許文献１がある。
【０００３】
特許文献１の技術では、接着する２つの磁石は、一つのマグネットクリップとして、折り曲げ部により一体化されている。
【先行技術文献】
【特許文献】
【０００４】
【特許文献１】特開２０００−１１０８２１
【考案の概要】
【考案が解決しようとする課題】
【０００５】
しかしながら、折り曲げ部などを用いて一体化することなく、磁石だけを用いて物を挟み込むようにする方が、コストが安くなる。
【０００６】
そのため、例えば、長方形の板に長方形の磁石（Ｓ極、Ｎ極）を張り付けた留め具を２つ用意すれば、簡単に物を挟み込むことができる。
【０００７】
ただし、磁石によって挟み込む場合、その磁石の磁力が強ければ強いほど、取り外すのが大変になるという問題がある。さらに、取り外した際に、２つの留め具が簡単に分離しないようにしないと、次に別の物を挟み込むときに手間がかかるという問題もある。
【０００８】
そこで、本考案は、上記課題を解決するものであり、取り外しを容易としつつ、簡単に分離しない狭持具を提供することを目的とする。
【課題を解決するための手段】
【０００９】
本考案は、第一の板部と第一の磁石部とから構成される第一の留め具および第二の板部と第二の磁石部とから構成される第二の留め具によりなる狭持具であって、前記第一の磁石部と前記第二の磁石部とは、互いに異なる磁極を有するものであり、前記第一の板部と前記第二の板部とは、前記第一の磁石部と前記第二の磁石部とが磁力により接着した際に、前記第一の板部と前記第二の板部とが接触しない斜面であって、当該斜面が接触した際に、前記第一の磁石部と前記第二の磁石部との一部が磁力により接着する斜面を備えることを特徴とする。
【考案の効果】
【００１０】
本考案によれば、取り外しを容易としつつ、簡単に分離しない狭持具を提供することができる。
【図面の簡単な説明】
【００１１】
【図１】本考案の実施の形態における狭持具の使い方を説明する図である。
【図２】本考案の実施の形態における狭持具の実施例（１）を示す図である。
【図３】本考案の実施の形態における狭持具の実施例（２）を示す図である。
【考案を実施するための形態】
【００１２】
以下、図面を用いて説明をする。
【００１３】
図１は、本考案の実施の形態における狭持具の使い方を説明する図である。
【００１４】
本発明の実施の形態の挟持具は、第一の留め具１と第二の留め具２の組みから構成されるものである。挟持具は、第一の留め具１と第二の留め具２との間に紙などの薄い物（例えば、紙類３）を挟み込み磁石の力で固定する仕組みとなっている。そして、例えば、リングネジ４に通した紐を壁などの固定具に掛かけることができるようになっている。
【００１５】
従って、様々なデザインが施された紙類を挟み込み壁に掛かけることでインテリア（室内装飾品）として活用することができる。
【００１６】
ここで、第一の留め具１は、第一の板部１１と第一の磁石部１２により構成される。また、第二の留め具２は、第二の板部２１と第二の磁石部２２により構成されている。第一の留め具１および第二の留め具２の縦横の長さは挟み込む（挟持する）紙類３の種類に応じて任意に変更することができるものである。
【００１７】
なお、第一の板部１１および第二の板部２１、並びに第一の磁石部１２および第二の磁石部２２の形状はそれぞれ同じ形状でよいが、第一の磁石部１２および第二の磁石部２２は、一方がＳ極であり、他方がＮ極である。
【００１８】
また、第一の板部１１および第二の板部２１の材質は、木材、合成樹脂素材等など、様々な材質を適用することができる。
【００１９】
次に、本考案の実施の形態における狭持具の実施例を説明する。
【００２０】
図２は、本考案の実施の形態における狭持具の実施例（１）を示す図である。
【００２１】
図２は、第一の留め具１および第二の留め具２を磁石で接着する面に対する横方向からの図である。また、（１）から（３）の順番に使用されることを示している。
【００２２】
（１）において、第一の板部１１と第一の磁石部１２により構成される第一の留め具１と、第二の板部２１と第二の磁石部２２により構成される第二の留め具２とが、互いに磁石部を接着する方向に相対している。
【００２３】
（２）において、第一の磁石部１２および第二の磁石部２２が互いに接着しているが、このように接着している状態で、第一の板部１１および第二の板部２１の一部が接着しないように第一の板部１１および第二の板部２１にはそれぞれ斜面が設けられている。利用者は、磁石部の接着を外そうとする場合、第一の板部１１および第二の板部２１に設けられた斜面の外側から力を加える。このように外側から力を加えるだけで、磁石部の接着を簡単に外すことができる。
【００２４】
（３）において、第一の板部１１および第二の板部２１に設けられた斜面が接触し、第一の磁石部１２および第二の磁石部２２の接着が外れる状態となる。ただし、（Ａ）に示すように、第一の磁石部１２および第二の磁石部２２の一部分は、接着している。このように一部分を接着させることで、第一の留め具１と第二の留め具２とが簡単に分離しないようにすることができる。これは、磁石の力でいわば蝶つがいのような役割を果たしているからである。
【００２５】
次に、蝶つがいの役割をより強くする第二の実施例を、図３を用いて説明する。
【００２６】
図３は、本考案の実施の形態における狭持具の実施例（２）を示す図である。
【００２７】
第一の板部５１と第一の磁石部５２により構成される第一の留め具５と、第二の板部６１と第二の磁石部６２により構成される第二の留め具６とが、互いに磁石部を接着する方向に相対している。
【００２８】
図２との違いは、第一の磁石部５２および第二の磁石部６２の一部が、第一の板部５１および第二の板部６１と同じ斜面を備える点である。
【００２９】
従って、（３）において、第一の板部５１および第二の板部６１の斜面を接触させた場合、第一の磁石部５２および第二の磁石部６２の斜面も接触することになる（Ｂ）。従って、この部分については、磁石の力で接着する面が大きいため、第一の留め具１と第二の留め具２との繋がりをより強固とすることができる。
【００３０】
以上、説明した通り、本考案によれば、取り外しを容易としつつ、簡単に分離しない狭持具を提供することができる。
【符号の説明】
【００３１】
１    第一の留め具
２    第二の留め具
１１  第一の板部
１２  第一の磁石部
２１  第二の板部
２２  第二の磁石部
３    紙類
４    リングネジ
【図１】
0003168792.tif 000003
【図２】
0003168792.tif 000004
【図３】
0003168792.tif 000005